(57)【要約】【課題】発泡合成樹脂製の基材の表面に板材が設けてある表示板を備え、この表示板の支持体への取り付けが簡単にできる表示板装置を提供する。【解決手段】看板Ｋ１は、表示板１と支持体３を備えている。表示板１は、発泡合成樹脂製の基材１０の表裏面に板材１１を接着して形成してある。基材１０の長さ方向に沿う側の各側面には凹部１００が形成してある。凹部１００には埋設部材５０が挿し込んで取り付けてある。支持体３を構成する柱部材３０には貫通孔３００が形成してある。表示板１は、柱部材３０との間にカラー７を設け、取付部材５１を柱部材３０の外面側から貫通孔３００及びカラー７を通して埋設部材５０の内部に挿し込むことで、支持体３に取り付けられる。【選択図】        図１
2004252212.tif 000002
【特許請求の範囲】
【請求項１】
発泡合成樹脂製の基材（１０）の表面部に板材（１１）を設けて形成してある表示板（１）と、
表示板（１）  を支える支持体（３）  と、
表示板（１）  を支持体（３）  側に取り付ける取付手段と、
を備えており、
上記取付手段は、
基材（１０）側に設けられる一方の構成部材と、
支持体（３）  側に設けられ、一方の構成部材と係合する他方の構成部材と、
を備え、
表示板（１）  は、一方の構成部材と他方の構成部材を係合して支持体（３）側に取り付けられることを特徴とする、
表示板装置。
【請求項２】
発泡合成樹脂製の基材（１０）の表面部に板材（１１）を設けて形成してある表示板（１）  と、
所要位置に貫通孔（３００）  が形成してあり、表示板（１）  を支える支持体（３）  と、
表示板（１）  を支持体（３）  側に取り付ける取付手段と、
を備えており、
上記取付手段は、
基材（１０）側に埋設される一方の構成部材と、
支持体（３）  を貫通して、先側が一方の構成部材内に挿し込み可能な他方の構成部材と、
を備え、
表示板（１）  は、他方の構成部材を支持体（３）  の貫通孔（３００）  に貫通させて一方の構成部材に挿し込んで支持体（３）  側に取り付けられることを特徴とする、
表示板装置。
【請求項３】
発泡合成樹脂製の基材（１０）の表面部に板材（１１）を設けて形成してある表示板（１）  と、
表示板（１）  を支える支持体（３）  と、
表示板（１）  を支持体（３）  側に取り付ける取付手段と、
を備えており、
上記取付手段は、
基材（１０）側に、一部が突出するよう埋設される一方の構成部材と、
支持体（３）  側に設けられ、一方の構成部材内に挿し込んだり、または一方の構成部材が内部に挿し込まれたりする他方の構成部材と、
を備え、
表示板（１）  は、他方の構成部材を一方の取付手段の突出した部分内に挿し込んだり、または他方の構成部材内に一方の構成部材を挿し込んだりして支持体（３）  側に取り付けられることを特徴とする、
表示板装置。
【請求項４】
発泡合成樹脂製の基材（１０）の表面部に板材（１１）を設けて形成してある表示板（１）  と、
表示板（１）  を支える支持体（３）  と、
表示板（１）  を支持体（３）  側に取り付ける取付手段と、
を備えており、
上記取付手段は、
基材（１０）側に埋設され、嵌合溝（５６２）を形成する一方の構成部材（５６）と、
支持体（３）  側に設けられ、一方の構成部材（５６）の嵌合溝（５６２）に挿し込む他方の構成部材（５７）と、
を備え、
表示板（１）  は、他方の構成部材（５７）を一方の取付手段（５６）の嵌合溝（５６２）に挿し込んで支持体（３）  側に取り付けられることを特徴とする、
表示板装置。
【請求項５】
表示板（１）  は、支持体（３）  側に取り付けられた状態で、表面または裏面の全面が表示部として使用できるよう構成してあることを特徴とする、
請求項１，２，３または４記載の表示板装置。
【発明の詳細な説明】
【０００１】
【発明の属する技術分野】
本発明は表示板装置に関する。
更に詳しくは、発泡合成樹脂製の基材の表面に板材が設けてある表示板を備え、この表示板の支持体側への取り付けが簡単にできるものに関する。
また、表示板を支持体側へ取り付けた場合でも表示面積が狭められず、表面または裏面の全面が表示部として使用できるものに関する。
【０００２】
【従来の技術】
看板は宣伝広告の媒体として広く使用されている。看板を構成する表示板は、軽量化を図るために、角パイプやＣ型鋼等を格子状に組んだ芯材の両面にトタン製の板材等を張り合わせて形成してあるものが多い。
【０００３】
しかし、この構造を有する表示板でも、大型化すれば相当な重量を有する。このため従来の大型の看板は、搬送や取り付け（設置）等が容易でなかった。
【０００４】
また、板材を格子状に組んだ芯材の両面に張り合わせているので、芯材が配置されない板材の裏側には空間が形成されていた。そのため外方から衝撃を受けた場合では、上記空間と対応する箇所の鉄板が凹み、外観を見苦しくすることがあった。
【０００５】
更に、板材はネジ、釘、リベット等によって芯材に固定されていたので、表面に凹凸が形成されており、見た目も悪かった。
【０００６】
そこで近年では、所要の厚みを有する発泡合成樹脂製の基材の表面に板材を接着剤で貼って表示板を形成したものが提案されている（例えば、特許文献１参照）。
この表示板は、大型化しても上記した従来のものより格段に軽くできる。従って、搬送や取り付けが比較的容易である。また、板材の裏側に空間もないので、板材が凹んだりもしない。更には、板材の取り付けにネジ等も使わず表面が平らにできるので、見た目も美しい。
【０００７】
【特許文献１】
実開平６−８４４８０号公報
【０００８】
【発明が解決しようとする課題】
しかし、公報記載の看板には、次のような課題があった。
発泡合成樹脂製の基材を使用したものは、発泡合成樹脂が軟らかいため基材部分にネジや釘等を利かせることができない。従って、公報記載の表示板は、挟持部を備えた支持体を用いて、側縁部を挟持部内に押し込み、表裏面側を強く挟み込むことで支持体に取り付けられていた。しかも、この挟持部による挟み込む力だけで表示板の重量を支える構造であったので、表示板は相当な挟持力で挟み込まれていた。
【０００９】
看板は、宣伝広告の内容を変えるために表示板が度々交換されることが多い。しかし、従来の看板では、上記したように表示板が挟持部の相当に強い挟持力で挟まれていたので、取り付けが簡単でないと思われる。特に挟持する部分が長いものの場合では、この課題は顕著であろう。
【００１０】
また、支持体に取り付けられる表示板は、挟持部によって側縁部の表裏面側が一部隠されてしまっていた。つまり、表示板は、支持体に取り付けられることによって宣伝広告等に使える表示面積が狭められていた。
【００１１】
（本発明の目的）
本発明の目的は、発泡合成樹脂製の基材の表面に板材を設けて形成された表示板の支持体側への取り付けが簡単にできる、看板等の表示板装置を提供することにある。
また、本発明の他の目的は、表示板を支持体側へ取り付けた際でも表示面積が狭められず、表面または裏面の全面が表示部として使用できる看板等の表示板装置を提供することにある。
【００１２】
【課題を解決するための手段】
上記目的を達成するために講じた本発明の手段は次のとおりである。
第１の発明にあっては、
発泡合成樹脂製の基材の表面部に板材を設けて形成してある表示板と、
表示板を支える支持体と、
表示板を支持体側に取り付ける取付手段と、
を備えており、
上記取付手段は、
基材側に設けられる一方の構成部材と、
支持体側に設けられ、一方の構成部材と係合する他方の構成部材と、
を備え、
表示板は、一方の構成部材と他方の構成部材を係合して支持体側に取り付けられることを特徴とする、
表示板装置である。
【００１３】
第２の発明にあっては、
発泡合成樹脂製の基材の表面部に板材を設けて形成してある表示板と、
所要位置に貫通孔が形成してあり、表示板を支える支持体と、
表示板を支持体側に取り付ける取付手段と、
を備えており、
上記取付手段は、
基材側に埋設される一方の構成部材と、
支持体を貫通して、先側が一方の構成部材内に挿し込み可能な他方の構成部材と、
を備え、
表示板は、他方の構成部材を支持体の貫通孔に貫通させて一方の構成部材に挿し込んで支持体側に取り付けられることを特徴とする、
表示板装置である。
【００１４】
第３の発明にあっては、
発泡合成樹脂製の基材の表面部に板材を設けて形成してある表示板と、
表示板を支える支持体と、
表示板を支持体側に取り付ける取付手段と、
を備えており、
上記取付手段は、
基材側に、一部が突出するよう埋設される一方の構成部材と、
支持体側に設けられ、一方の構成部材内に挿し込んだり、または一方の構成部材が内部に挿し込まれたりする他方の構成部材と、
を備え、
表示板は、他方の構成部材を一方の取付手段の突出した部分内に挿し込んだり、または他方の構成部材内に一方の構成部材を挿し込んだりして支持体側に取り付けられることを特徴とする、
表示板装置である。
【００１５】
第４の発明にあっては、
発泡合成樹脂製の基材の表面部に板材を設けて形成してある表示板と、
表示板を支える支持体と、
表示板を支持体側に取り付ける取付手段と、
を備えており、
上記取付手段は、
基材側に埋設され、嵌合溝を形成する一方の構成部材と、
支持体側に設けられ、一方の構成部材の嵌合溝に挿し込む他方の構成部材と、
を備え、
表示板は、他方の構成部材を一方の取付手段の嵌合溝に挿し込んで支持体側に取り付けられることを特徴とする、
表示板装置である。
【００１６】
第５の発明にあっては、
表示板は、支持体側に取り付けられた状態で、表面または裏面の全面が表示部として使用できるよう構成してあることを特徴とする、
第１，第２，第３または第４の発明に係る表示板装置である。
【００１７】
本発明において「表示板装置」という用語は、表示板に文字、記号、模様、絵（イラスト、写真等）等を設け、これらを表示する機能を奏する装置という概念を示すものとして使用している。具体的に言えば、例えば、看板、掲示板、黒板、白板等を含むものを挙げることができる。なお、表示板に表示されるものは、上記した文字、記号、模様、絵等に限定されない。
【００１８】
また、表示板に表示されるものは、宣伝広告を図る目的を有するものでも良いし、単なる標識として機能させるだけのものでも良い。
【００１９】
表示板の大きさは、特に限定するものではなく、大型のものでも、小型のものでも形成できる。
【００２０】
「表示板を支持体側に取り付ける」とは、表示板を支持体に直接取り付けることもできるし、間に部材を介在させて取り付けることもできるという概念を含んでいる。
また、「一方の構成部材を基材側に設ける」とは、一方の構成部材を基材に直接取り付けることもできるし、間に部材を介在させて取り付けることもできるという概念を含んでいる。
更に、「他方の構成部材を支持体側に設ける」とは、他方の構成部材を支持体に直接取り付けることもできるし、間に部材を介在させて取り付けることもできるという概念を含んでいる。
【００２１】
一方の構成部材と他方の構成部材は、いずれか一方に雄ネジを設け、もう一方に雌ネジを設けて、互いにネジによって固着できるようにもできる。
【００２２】
（作  用）
基材に一方の構成部材を設けた表示板は、支持体側に設けた他方の構成部材を上記一方の構成部材と係合することにより支持体側に取り付けられる。
このように表示板は、支持体側への取り付けに当たって他方の構成部材と一方の構成部材を係合させるだけで良いので、取付作業が簡単である。
また、表示板を支持体側から取り外す作業も、他方の構成部材と一方の構成部材の係合状態を解除するだけで良いので簡単である。
【００２３】
基材に一方の構成部材を設けた表示板は、支持体の貫通孔を貫通させて他方の構成部材の先側を一方の構成部材内に挿し込むことにより支持体側に取り付けられる。
【００２４】
基材に一方の構成部材を設けた表示板は、他方の構成部材を一方の取付手段の突出した部分内に挿し込んだり、または他方の構成部材内に一方の構成部材を挿し込んだりすることにより支持体側に取り付けられる。
【００２５】
基材に一方の構成部材を設けた表示板は、他方の構成部材を一方の取付手段の嵌合溝に挿し込むことにより支持体側に取り付けられる。
【００２６】
例えば、一方の構成部材を表示板の側面等、表示板の表面または裏面以外の箇所に設けたりして、表示板の全面が表示部として使用できるよう構成してあるものは、表示板は支持体側に取り付けられても表示面積が狭められない。従って、この場合、表示板は表面または裏面の全面が表示部として使用できる。
【００２７】
【発明の実施の形態】
本発明の実施の形態を図面に基づき更に詳細に説明する。
図１ないし図５は、本発明に係る表示板装置である看板の第１の実施の形態を示している。
図１は看板を示す正面図、
図２は表示板を支持体に取り付ける埋込部材と取付部材を示す斜視説明図、
図３は表示板を構成する基材の側面に、埋込部材を埋設する凹部を形成した状態を示す要部拡大断面図、
図４は基材の凹部に埋込部材を埋設した状態を示す要部拡大断面図、
図５は埋込部材を設けた表示板を支持体に取り付けた状態を示す要部拡大断面図である。
【００２８】
看板Ｋ１は、表示板１と、表示板１を支える支持体３を備えている。表示板１は、取付手段（下記参照）によって支持体３に取り付けてある。
【００２９】
図３を参照する。表示板１は、発泡合成樹脂製の基材１０の表裏面に、金属製の板材１１を接着して形成してある。表示板１は長方形状であり、基材１０及び板材１１は共に同じ形状を有している。
【００３０】
基材１０の長さ方向に沿う側の各側面には、取付手段を構成する一方の構成部材である埋設部材５０を埋設する凹部１００が、所要間隔を設けて三箇所に形成してある。
【００３１】
図２を参照する。埋設部材５０は、有底円筒状の受け部材５００の外周面に板状の補強部材５０１，５０１を垂設して、受け部材５００の一端部に鍔部材５０２を設けた構造を有している。補強部材５０１，５０１は、受け部材５００の外周面に対向するよう二箇所に固定（固着）してある。なお、埋設部材５０は、受け部材５００、補強部材５０１，５０１、鍔部材５０２を一体に形成したものを使用することもできる。
【００３２】
図４を参照する。埋設部材５０は、接着剤及び充填剤としての機能を有する樹脂１０１を注入した凹部１００内に、補強部材５０１，５０１が表示板１の表裏面と略平行な状態になるように挿し込んで、突出しないよう取り付けてある。
凹部１００と埋設部材５０の間には、樹脂１０１が充填されており隙間は形成されない。なお、樹脂１０１は、天然樹脂や合成樹脂が使用できる。
【００３３】
表示板１の形状は、長方形状に限定するものではなく、例えば、正方形状、菱形状、平行四辺形状、三角形状、円形状、多角形状等、種々変形可能である。
また、基材と板材の形状も、支持体への取り付けに支障がなければ、互いに異なる形状のものを組み合わせて使用できる。
【００３４】
本実施の形態で基材１０を構成する発泡合成樹脂はポリスチレンを使用したが、基材を形成する材料は、特に限定するものではなく、例えば、ポリウレタン等でも形成できる。また、基材は高発泡でも低発泡のものでも使用できる。更に、基材は連続発泡でも独立発泡のものでも使用できる。
【００３５】
本実施の形態で板材１１は鉄製のものを使用したが、板材を形成する材料も特に限定するものではなく、例えば、ステンレス、銅、アルミ等の他の金属、合成樹脂、薄く形成した木材、これらの複合物等でも形成できる。
また、板材は、表面に塗装やメッキ等の処理を施したもの（例えば、トタンやブリキ）でも使用できる。
【００３６】
図１を参照する。支持体３は、金属製の柱部材３０が立設してあるコンクリート製の土台３１を所要間隔を設けて二箇所に備え、相互の柱部材３０を連結部材３２で繋いで形成してある。柱部材３０，３０の間隔は、表示板１の幅よりもやや広く設定してある。
各柱部材３０の連結部材３２より上側の部分には、内面から外面にかけて貫通した貫通孔３００が、所要間隔を設けて三箇所に形成してある（図５参照）。
【００３７】
本実施の形態で柱部材３０は鉄製の角筒部材を使用したが、柱部材を形成する材料は、表示板を取り付けて支えることができれば、特に限定するものではない。例えば、ステンレス、銅、アルミ等の他の金属、合成樹脂、木材、これらの複合物等でも形成できる。また、その形状も例えば、円筒形状、円柱や角柱形状の中実体等が使用できる。更に、表面に塗装やメッキ等の処理を施したものでも使用できる。
【００３８】
本実施の形態で土台３１はコンクリート製のものを使用したが、土台を形成する材料は、安定して設置できるものであれば、特に限定するものではない。例えば、金属、木材、合成樹脂（内部に水等が充填できるようにしてあるものを含む）、これらの複合物等でも形成できる。また、土台の形状も特に限定するものではない。
【００３９】
図１及び図２を参照する。表示板１は、取付手段を構成する他方の構成部材である取付部材５１を使用して支持体３に取り付けられる。
取付部材５１は、一端に径大な六角頭を有する棒状体であり、頭側の所要位置に直径方向に貫通するピン孔５１０が形成された構造を有している。
本実施の形態で取付部材５１は棒状体を使用したが、これは限定するものではなく、例えば、筒状体を使用することもできる。
【００４０】
（作  用）
図１ないし図５を参照して、本実施の形態で示す看板Ｋ１の作用を説明する。
看板Ｋ１の表示板１は、発泡合成樹脂製の基材１０を使用したものであるが、基材１０の側面に取付部材５１が挿し込み可能な埋設部材５０を埋設することで、次のようにして支持体３に取り付けられる。
【００４１】
▲１▼表示板１を支持体３の柱部材３０，３０及び連結部材３２で囲まれた間に配置する。
▲２▼柱部材３０との間に隙間を充填するカラー７を設ける。
▲３▼取付部材５１を柱部材３０の外面側から貫通孔３００及びカラー７を通して、受け部材５００の内部に挿し込む（図５参照）。
▲４▼ピン孔５１０に固定ピン６０を設ける。これにより取付部材５１は抜けない。
【００４２】
このように看板Ｋ１は、取付部材５１を柱部材３０の外方から貫通孔３００を介して埋設部材５０の内部に挿し込むだけで良いので、表示板１の支持体３への取り付けが簡単である。
【００４３】
また、支持体３から取り外す際も、固定ピン６０をピン孔５１０から抜き、取付部材５１を受け部材５００と貫通孔３００から抜くだけで良いので簡単である。
【００４４】
看板Ｋ１は、基材１０の側面に埋設した埋設部材５０に、取付部材５１を挿し込んで支持体３に取り付けられるので、支持体３への取り付けに際して、表示板１の表示面積が狭められるような部材は必要としない。従って、表示板１は、支持体３に取り付けた場合でも、表面または裏面の全面が表示部として使用できる。
【００４５】
本実施の形態で表示板１と支持体３との間には、表示板１のがたつきを防止するためにカラー７を設けたが、これは限定するものではない。支持体に取り付けた表示板ががたつかないようにできれば、またはがたついても構わない場合ではカラーは不要である。例えば、埋設部材に取付部材を挿し込んで支持体に取り付けた場合に、取付部材の先端部が埋設部材の内部先端部と当たるようにすれば、がたつきが防止できるのでカラーは不要である。
【００４６】
図６は、本発明に係る表示板装置である看板の第２の実施の形態を示している。  図６は看板を示す正面図である。
なお、図６において、上記図１ないし図５で示したものと同一または同等箇所には同一の符号を付して示している。また、以下の説明において構造について上記で示した箇所と重複する説明は省略する。
【００４７】
看板Ｋ２は、四枚の表示板１と、各表示板１を支える支持体３を備えている。
各基材の幅方向に沿う側のそれぞれの側面には、所要間隔を設けて二箇所に埋設部材５０が突出しないよう埋設してある。
【００４８】
支持体３の上端には、相互の柱部材３０を繋ぐ連結部材３３が架け渡してある。
各柱部材３０の連結部材３２より上側の部分には、貫通孔（図示省略）が所要間隔を設けて八箇所に形成されている。
【００４９】
（作  用）
図６を参照して、第２の実施の形態で示す看板Ｋ２の作用を説明する。
看板Ｋ２は、複数の表示板１を有しており、各表示板１が独立して支持体３に取り付けられているので、例えば、一部の表示板１だけを取り替えることができる。
なお、看板Ｋ２における各表示板１の支持体３への取り付け手順、及び、看板Ｋ１と共通する構成により生じる同様の作用、効果については、看板Ｋ１と略同じであるので、説明は省略する。
【００５０】
図７ないし図１０は、本発明に係る表示板装置である看板の第３の実施の形態を示している。
図７は看板を示す正面図、
図８は表示板を支持体に取り付ける埋込部材と取付部材を示す斜視説明図、
図９は基材の凹部に埋込部材を埋設した状態を示す要部拡大断面図、
図１０は埋込部材を設けた表示板を支持体に取り付けた状態を示す要部拡大断面図である。
なお、図７ないし図１０において、上記図１ないし図６で示したものと同一または同等箇所には同一の符号を付して示している。
また、以下の説明において構造について上記で示した箇所と重複する説明は省略する。
【００５１】
看板Ｋ３は、四枚の表示板１と、各表示板１を支える支持体３を備えている。
図７及び９を参照する。各基材１０の幅方向に沿う側のそれぞれの側面の略中央には、取付手段を構成する一方の構成部材である埋設部材５２を埋設する凹部１００が形成してある。
【００５２】
図８を参照する。埋設部材５２は、有底角筒状の受け部材５２０を備え、その一端部に鍔部材５２１を設けた構造を有している。埋設部材５２は、受け部材５２０と鍔部材５２１が一体のものを使用することもできる。
【００５３】
図９を参照する。埋設部材５２は、凹部１００に挿し込んで突出しないよう埋設してある。
図７及び図１０を参照する。各柱部材３０の連結部材３２より上側の部分には、貫通孔３００が所要間隔を設けて四箇所に形成されている。
【００５４】
図７及び図８を参照する。各表示板１は、取付手段を構成する他方の構成部材である取付部材５３を使用して支持体３に取り付けられる。
取付部材５３は、一端に貫通孔３００よりも大きな形状の停止部材５３０を有する角棒状体であり、停止部材５３０側の所要位置に幅方向に貫通するピン孔５３１が形成された構造を有している。
本実施の形態で取付部材５３は角棒状体を使用したが、これは限定するものではなく、例えば、角筒状体を使用することもできる。
【００５５】
（作  用）
図７ないし図１０を参照して、第３の実施の形態で示す看板Ｋ３の作用を説明する。
看板Ｋ３の各表示板１は、次のようにして支持体３に取り付けられる。
▲１▼各表示板１を柱部材３０，３０と連結部材３２，３３で枠組された内側に配置する。
▲２▼取付部材５３を柱部材３０の外面側から貫通孔３００を通し、受け部材５２０の内部に挿し込む（図１０参照）。
▲３▼ピン孔５３１に固定ピン６０を設ける。これにより埋設部材５２は抜けない。
【００５６】
看板Ｋ３は、埋設部材５２が角筒状を有しており、埋設部材５２に挿し込む取付部材５３も角棒状体に形成してある。従って、表示板１は各側面において少なくとも一組の埋設部材５２と取付部材５３が設けてあれば、回転しないように取り付けられる。
逆に、回転するようにするためには、例えば、上記看板Ｋ１、Ｋ２で使用した埋設部材５０と取付部材５１を、埋設部材５２と取付部材５３を設けた位置に代えて取り付けることで可能である。
なお、上記した看板Ｋ１、Ｋ２と共通する構成により生じる同様の作用、効果については、説明を省略した。
【００５７】
図１１ないし図１４は、本発明に係る表示板装置である看板の第４の実施の形態を示している。
図１１は看板を示す正面図、
図１２は表示板を支持体に取り付ける埋込部材と取付部材を示す斜視説明図、
図１３は基材の凹部に埋込部材を埋設した状態を示す要部拡大断面図、
図１４は埋込部材を設けた表示板を支持体に取り付けた状態を示す要部拡大断面図である。
なお、図１１ないし図１４において、上記図１ないし図１０で示したものと同一または同等箇所には同一の符号を付して示している。また、以下の説明において構造について上記で示した箇所と重複する説明は省略する。
【００５８】
看板Ｋ４は、表示板１と、表示板１を支える支持体４，４を備えている。
基材１０の長さ方向に沿う側の一方の側面（図１１において下側）には、取付手段を構成する一方の構成部材である埋設部材５４を埋設する凹部１００が、所要間隔を設けて二箇所に形成してある。
【００５９】
図１２を参照する。埋設部材５４は、有底角筒状の固定部材５４０を備え、下部側の所要位置に鍔部材５４１を設けた構造を有している。固定部材５４０の鍔部材５４１より下側の嵌合部５４３には、ボルト６１を挿通させるボルト貫通穴５４２が、向かい合う側壁を貫通して二箇所に形成してある。
図１３を参照する。埋設部材５４は、基材１０に形成した凹部１００に、嵌合部５４３が突出するよう挿し込んで取り付けてある。
【００６０】
図１１及び図１２を参照する。支持体４は、金属製の柱部材４０が立設してあるコンクリート製の土台４１を所要間隔を設けて二箇所に備えて構成してある。
各柱部材４０の上部には、取付手段を構成する他方の構成部材である嵌合部５５が設けてある。
【００６１】
嵌合部５５は、固定部材５４０の鍔部材５４１より下側の部分が、内方に嵌め合い可能な角筒形状に形成してある。嵌合部５５の向かい合う側壁には、ボルト貫通穴５４２と対応する貫通孔５５０が貫通して二箇所に形成してある。
【００６２】
（作  用）
図１１ないし図１４を参照して、第４の実施の形態で示す看板Ｋ４の作用を説明する。
看板Ｋ４の表示板１は、次のようにして支持体４に取り付けられる。
▲１▼表示板１を上方より下降させて、固定部材５４０の嵌合部５４３を嵌合部５５内に挿し込む。
▲２▼貫通孔５５０とボルト貫通穴５４２にボルト６１を挿通させ、先端にナット６２を螺合する（図１４参照）。
【００６３】
このように看板Ｋ４は、固定部材５４０の嵌合部５４３を嵌合部５５内に挿し込むだけで良いので、表示板１の支持体４への取り付けが簡単である。
また、支持体４から取り外す際も、埋設部材５４を嵌合部５５から引き抜くだけで良いので簡単である。
なお、上記した看板Ｋ１、Ｋ２、Ｋ３と共通する構成により生じる同様の作用、効果については説明を省略した。
【００６４】
本実施の形態で示す取付手段は、固定部材５４０の下側の嵌合部５４３が、柱部材４０の上部の嵌合部５５内に挿し込んで取り付けられる構造のものを示したが、これは限定するものではなく、例えば、固定部材５４０の下側の嵌合部５４３内に、柱部材４０の上部の嵌合部５５が挿し込んで取り付けられるようにすることもできる。
【００６５】
図１５ないし図１９は、本発明に係る表示板装置である看板の第５の実施の形態を示している。
図１５は看板を示す正面図、
図１６は表示板を支持体に取り付ける取付レールを示す斜視説明図、
図１７は取付部材が取り付けてある柱部材を示す要部拡大断面図、
図１８は基材の凹部に取付レールを取り付けた状態を示す要部拡大断面図、
図１９は取付レールを設けた表示板を支持体に取り付けた状態を示す要部拡大断面図である。
なお、図１５ないし図１９において、上記図１ないし図１４で示したものと同一または同等箇所には同一の符号を付して示している。また、以下の説明において構造について上記で示した箇所と重複する説明は省略する。
【００６６】
看板Ｋ５は、表示板１と、表示板１を支える支持体３を備えている。
表示板１の周りの全側面には、取付手段を構成する一方の構成部材である取付レール５６が取り付けられている。
【００６７】
図１６を参照する。取付レール５６は、略「Ｔ」型鋼のような形状を有し、垂設してある垂設部５６０の内部には、水平部５６１側から開口した嵌合溝５６２が形成された構造を有している。取付レール５６は、水平部５６１の横幅が表示板１の厚みと略同じになるよう形成されている。
【００６８】
図１８及び図１９を参照する。取付レール５６は、垂設部５６０を凹部１００に挿し込み、接着剤によって水平部５６１の内面と表示板１の側面を接着して取り付けてある。
【００６９】
図１５を参照する。柱部材３０や連結部材３２の内面側の部分には、取付手段を構成する他方の構成部材である取付部材５７が所要間隔を設けて八箇所に取り付けてある。
図１７を参照する。取付部材５７は、略二等辺山形鋼形状を有しており、一方の板部５７１が取付レール５６の嵌合溝５６２内に挿し込めるよう形成してある。取付部材５７は、他方の板部５７２を柱部材３０や連結部材３２の内面に固定し、一方の板部５７１を垂設している。
【００７０】
（作  用）
図１５ないし図１９を参照して、第５の実施の形態で示す看板Ｋ５の作用を説明する。
看板Ｋ５の表示板１は、取付レール５６の嵌合溝５６２内に、取付部材５７の板部５７１が挿し込まれるように表示板１を支持体３の上方から下降する。これにより表示板１は、柱部材３０，３０と連結部材３２で枠組された内側に取り付けられる。
このように看板Ｋ５は、支持体３の上方から下降させるだけで良いので、表示板１の支持体３への取り付けが簡単である。
【００７１】
本実施の形態で支持体３に取り付けた表示板１は、上部に位置する嵌合溝５６２内にワイヤー７１を通すように掛けて、このワイヤー７１の両端部をそれぞれの柱部材３０，３０の上部に固定することで、外れないように固定してある。
この場合、表示板１の取り外しは、ワイヤー７１の固定状態を解除し、嵌合溝５６２から板部５７１が外れるように上方に引き抜くだけで良いので簡単である。
なお、上記した看板Ｋ１、Ｋ２、Ｋ３、Ｋ４と共通する構成により生じる同様の作用、効果については説明を省略した。
【００７２】
本実施の形態で取付レール５６は、略「Ｔ」型鋼状の形態を有するものを使用したが、取付レールの形状は特に限定するものではなく、例えば、図２０に示す形状のものを使用することもできる。
【００７３】
図２０は取付レールの他の例であり、基材の凹部に取り付けた状態を示す要部拡大断面図である。
取付レール５６ａは、取付レール５６の水平部５６１の両端に、垂設部５６０と略平行に被覆部５６３ａが形成された構造を有している。
取付レール５６ａによれば、基材１０に取り付けることで表示板１の表示面積はやや狭められるが、表示板１の表裏面の縁部を縁取って露出しないようにできるので、表示板１の外観が良くなる。
【００７４】
図２１ないし図２４は、本発明に係る表示板装置である看板の第６の実施の形態を示している。
図２１は看板を示す斜視説明図、
図２２は表示板を支持体に取り付ける埋込部材を示す斜視説明図、
図２３は基材の凹部に埋込部材を埋設した状態を示す要部拡大断面図、
図２４は埋込部材を設けた表示板を支持体に取り付けた状態を示す要部拡大断面図である。
なお、図２１ないし図２４において、上記図１ないし図２０で示したものと同一または同等箇所には同一の符号を付して示している。また、以下の説明において構造について上記で示した箇所と重複する説明は省略する。
【００７５】
看板Ｋ６は、表示板１と、表示板１を支える支持体８を備えている。
図２１及び図２３を参照する。基材１０の幅方向に沿う側のそれぞれの側面（図２１において上下面）には、取付手段を構成する一方の構成部材である埋設部材５８を埋設する凹部１００が、所要間隔を設けて二箇所に形成してある。
【００７６】
図２２を参照する。埋設部材５８は、丸棒状の突出部材５８０の外周面に板状の補強部材５８１，５８１を垂設して、突出部材５８０の一端部よりやや内側の部分に鍔部材５８２を設けた構造を有している。補強部材５８１，５８１は、突出部材５８０の外周面において対向するように二箇所に固定（固着）してある。また、突出部材５８０の先端側には、幅方向にピン孔５８３が貫通して形成してある。なお、埋設部材５８は、突出部材５８０、補強部材５８１、鍔部材５８２を一体に形成したものを使用することもできる。
【００７７】
図２３及び図２４を参照する。埋設部材５８は、先端側がやや突出するように基材１０に形成した凹部１００に挿し込んで取り付けてある。即ち、埋設部材５８は、図２１の上下方向に突出するように設けてある。
【００７８】
図２１を参照する。支持体８は、金属製の柱部材８０をコンクリート製の土台８１に立設して形成してある。
本実施の形態で柱部材８０は、丸筒状のものを使用したが、これは限定するものではなく、例えば、角柱形状を有する中実体や筒状体を使用することもできる。
【００７９】
表示板１は、取付手段を構成する他方の構成部材である取付具５９，５９を使用して支持体８に取り付けられる。
各取付具５９は、柱部材８０に挟んで取り付ける挟持部材５９０を備え、挟持部材５９０から突出したブラケット部材５９１、５９１の先端に板状の取付部材５９２が設けられた構造を有している。取付部材５９２には、所要間隔を設けて二箇所に貫通孔５９３が形成してある。
【００８０】
（作  用）
図２１ないし図２４を参照して、第６の実施の形態で示す看板Ｋ５の作用を説明する。
看板Ｋ６の表示板１は、次のようにして支持体８に取り付けられる。
▲１▼挟持部材５９０で柱部材８０を挟み、取付具５９を支持体８の所要の高さの位置に取り付ける（固定する）。
▲２▼支持体８に取り付けた取付具５９の取付部材５９２上に、下側の突出部材５８０が貫通孔５９３内に挿し込まれるように表示板１を載せる。
▲３▼表示板１の上側に位置している突出部材５８０が、貫通孔５９３内に挿し込まれるように、もう一方の取付具５９を支持体８に取り付ける（図２４参照）。
▲４▼ピン孔５８３に固定ピン６０を設ける。
【００８１】
看板Ｋ６は、取付部材５９２の貫通孔に突出部材５８０を挿し込むだけで良いので、表示板１の支持体８への取り付けが簡単である。
【００８２】
また、支持体８から取り外す際も、取付具５９を柱部材８０から取り外して、突出部材５８０を貫通孔５９３から抜くだけで良いので簡単である。
なお、上記した看板Ｋ１、Ｋ２、Ｋ３，Ｋ４，Ｋ５と共通する構成により生じる同様の作用、効果については説明を省略した。
【００８３】
本実施の形態で支持体８に取り付けられる表示板１は、埋設部材５８を埋設したものを示したが、この表示板に設けられる埋設部材は特に限定するものではない。例えば、図２５に示す埋設部材を使用することもできる。
【００８４】
図２５は基材の凹部に埋込部材を埋設する状態を示す要部拡大斜視説明図、
図２６は埋込部材を設けた表示板を支持体に取り付けた状態を示す要部拡大斜視説明図である。
【００８５】
埋設部材５８ａは、所要長さの金属板を幅方向に折曲して、断面略「Ω」形状（または、断面略方形のパルス波形状）に形成してある埋設部材本体５８４ａを備えている。埋設部材本体５８４ａの長さ方向に沿う両端部には、外方（図では略水平方向）に突出するようにして引掛部５８５ａが形成してある。
【００８６】
埋設部材本体５８４ａの上壁には、所要間隔で貫通孔５８６ａが二箇所に形成してある。
各貫通孔５８６ａには、内方から外方に通してネジ５８７ａが設けてある。ネジ５８７ａはネジ溝を貫通孔５８６ａの縁部と噛み合わせて埋設部材本体５８４ａに取り付けてある。
【００８７】
基材１０の上下の側面には、凹部１００が全長にわたって形成してある。凹部１００の内部奥側（図２６において凹部１００の下側）には、引掛部５８５ａが嵌入できる引掛凹部１０２が形成してある。
【００８８】
埋設部材５８ａは、埋設部材本体５８４ａを基材１０の横方向から凹部１００に収容されるようにスライドさせて、引掛部５８５ａを引掛凹部１０２に挿し込んで取り付けてある。
【００８９】
表示板１は、ネジ５８７ａを取付部材５９２の貫通孔５９３から突出させて、この突出した部分にナット５８８ａを螺合することで、支持体８に取り付けられる（図２６参照）。
【００９０】
埋設部材５８ａが取り付けてある表示板１によれば、埋設部材５８ａの取り付けに接着剤を使用しないので、埋設部材５８ａを簡単に基材１０から分離して廃棄することができる。
なお、埋設部材５８ａは、上記した看板Ｋ１，Ｋ２，Ｋ３，Ｋ４，Ｋ５，Ｋ６で示す表示板１に取り付けて使用することもできる。
【００９１】
また、支持体８に取り付けられる取付具も図２１に示すものに限定するものではなく、例えば、図２７に示すものを使用することもできる。
符号Ｋ７は、取付具５９ａによって埋設部材５８を用いた表示板１を支持体８に取り付けた看板を示している。
【００９２】
取付具５９ａは、ブラケット部材５９１ａ、５９１ａの先端に取り付けられる取付部材５９２ａが、外方に突出するよう設けられている。
取付具５９ａによれば、表示板１を支持体８の柱部材８０に沿わせた状態で設けることができる。
【００９３】
なお、上記実施の形態において埋設部材や取付レールは、それぞれ具体的に表示板１に設ける位置を示したが、これは埋設部材や取付レールを設ける位置を限定するものではない。埋設部材や取付レールは、支持体に取り付けることができれば、任意の箇所に設けることができる。
【００９４】
上記実施の形態で示す埋設部材５０，５２，５４，５８，５８ａ及び取付部材５１，５３，５７、嵌合部５５、取付レール５６，５６ａ，５６ｂ、取付具５９，５９ａは鉄製のものを使用したが、これらを形成する材料は特に限定するものではなく、例えば、ステンレス、銅、アルミ等の他の金属、合成樹脂、木材、これらの複合物等を使用することもできる。また、表面に塗装やメッキ等の処理を施したものを使用することもできる。
【００９５】
また、表示板は複数枚を繋げて形成したものを使用することもできる。この場合の表示板の接合構造は、特に限定するものではない。例えば、基材１０ａに内面が奥側につれてテーパ状に拡がる凹部１００ａを形成して、この凹部１００ａと略隙間なく嵌合できる形状の連結部材５ａを当該凹部１００ａにスライドさせたり（図２８参照）、基材１０ｂに断面略「Ｔ」字状の溝部１００ｂを形成して、断面略「Ｈ」字状を有する連結部材５ｂを上記溝部１００ｂにスライドさせたり（図２９参照）する構造等が採用可能である。連結部材を形成する材料も特に限定するものではなく、例えば、金属や合成樹脂等が使用できる。
【００９６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００９７】
【発明の効果】
（ａ）本発明に係る表示板装置によれば、表示板の支持体への取り付け及び取り外しが簡単にできる。従って、例えば、表示板を交換したりする作業等でも楽にできる。
【００９８】
（ｂ）例えば、一方の構成部材を表示板の側面等、表示板の表面または裏面以外の箇所に設けたりして、表示板の全面が表示部として使用できるよう構成してあるものは、表示板は支持体側に取り付けられても表示面積が狭められない。従って、この場合、表示板は表面または裏面の全面が表示部として使用できる。
【図面の簡単な説明】
【図１】看板を示す正面図。
【図２】表示板を支持体に取り付ける埋込部材と取付部材を示す斜視説明図。
【図３】表示板を構成する基材の側面に、埋込部材を埋設する凹部を形成した状態を示す要部拡大断面図。
【図４】基材の凹部に埋込部材を埋設した状態を示す要部拡大断面図。
【図５】埋込部材を設けた表示板を支持体に取り付けた状態を示す要部拡大断面図。
【図６】看板を示す正面図。
【図７】看板を示す正面図。
【図８】表示板を支持体に取り付ける埋込部材と取付部材を示す斜視説明図。
【図９】基材の凹部に埋込部材を埋設した状態を示す要部拡大断面図。
【図１０】埋込部材を設けた表示板を支持体に取り付けた状態を示す要部拡大断面図。
【図１１】看板を示す正面図。
【図１２】表示板を支持体に取り付ける埋込部材と取付部材を示す斜視説明図。
【図１３】基材の凹部に埋込部材を埋設した状態を示す要部拡大断面図。
【図１４】埋込部材を設けた表示板を支持体に取り付けた状態を示す要部拡大断面図。
【図１５】看板を示す正面図。
【図１６】表示板を支持体に取り付ける取付レールを示す斜視説明図。
【図１７】取付部材が取り付けてある柱部材を示す要部拡大断面図。
【図１８】基材の凹部に取付レールを取り付けた状態を示す要部拡大断面図。
【図１９】取付レールを設けた表示板を支持体に取り付けた状態を示す要部拡大断面図。
【図２０】取付レールの他の例であり、基材の凹部に取り付けた状態を示す要部拡大断面図。
【図２１】看板を示す斜視説明図。
【図２２】表示板を支持体に取り付ける埋込部材を示す斜視説明図。
【図２３】基材の凹部に埋込部材を埋設した状態を示す要部拡大断面図。
【図２４】埋込部材を設けた表示板を支持体に取り付けた状態を示す要部拡大断面図。
【図２５】基材の凹部に埋込部材を埋設する状態を示す要部拡大斜視説明図。
【図２６】埋込部材を設けた表示板を支持体に取り付けた状態を示す要部拡大斜視説明図。
【図２７】他の取付具によって表示板を支持体に取り付けた状態を示す斜視説明図。
【図２８】表示板の連結構造の一例を示す斜視説明図。
【図２９】表示板の連結構造の一例を示す斜視説明図。
【符号の説明】
Ｋ１，Ｋ２，Ｋ３，Ｋ４，Ｋ５，Ｋ６，Ｋ７  看板
１  表示板
１０，１０ａ，１０ｂ  基材
１００，１００ａ  凹部
１００ｂ  溝部
１０１  樹脂
１０２  引掛凹部
１１  板材
３  支持体
３０  角筒部材
３００  貫通孔
３１  土台
３２  連結部材
３３  連結部材
４  支持体
４０  角筒部材
４１  土台
５ａ，５ｂ  連結部材
５０  埋設部材
５００  受け部材
５０１  補強部材
５０２  鍔部材
５１  取付部材
５１０  ピン孔
５２  埋設部材
５２０  受け部材
５２１  鍔部材
５３  取付部材
５３０  停止部材
５３１  ピン孔
５４  埋設部材
５４０  角筒部材
５４１  鍔部材
５４２  ボルト貫通穴
５４３  嵌合部
５５  嵌合部
５５０  貫通孔
５６，５６ａ  取付レール
５６０  垂設部
５６１  水平部
５６２  嵌合溝
５６３ａ  被覆部
５７  取付部材
５７１  板部
５７２  板部
５８，５８ａ  埋設部材
５８０  突出部材
５８１  補強部材
５８２  鍔部材
５８３  ピン孔
５８４ａ  埋設部材本体
５８５ａ  引掛部
５８６ａ  貫通孔
５８７ａ  ネジ
５８８ａ  ナット
５９，５９ａ  取付具
５９０  挟持部材
５９１，５９１ａ  ブラケット部材
５９２，５９２ａ  取付部材
５９３  貫通孔
６０  固定ピン
６１  ボルト
６２  ナット
７  カラー
７１  ワイヤー
８  支持体
８０  柱部材
８１  土台
【図１】
2004252212.tif 000003
【図２】
2004252212.tif 000004
【図３】
2004252212.tif 000005
【図４】
2004252212.tif 000006
【図５】
2004252212.tif 000007
【図６】
2004252212.tif 000008
【図７】
2004252212.tif 000009
【図８】
2004252212.tif 000010
【図９】
2004252212.tif 000011
【図１０】
2004252212.tif 000012
【図１１】
2004252212.tif 000013
【図１２】
2004252212.tif 000014
【図１３】
2004252212.tif 000015
【図１４】
2004252212.tif 000016
【図１５】
2004252212.tif 000017
【図１６】
2004252212.tif 000018
【図１７】
2004252212.tif 000019
【図１８】
2004252212.tif 000020
【図１９】
2004252212.tif 000021
【図２０】
2004252212.tif 000022
【図２１】
2004252212.tif 000023
【図２２】
2004252212.tif 000024
【図２３】
2004252212.tif 000025
【図２４】
2004252212.tif 000026
【図２５】
2004252212.tif 000027
【図２６】
2004252212.tif 000028
【図２７】
2004252212.tif 000029
【図２８】
2004252212.tif 000030
【図２９】
2004252212.tif 000031